(57)【特許請求の範囲】
【請求項１】
互いに対向する上下一対のハーフを超音波溶着してなるカートリッジケース内にディスク状記録媒体が回転自在に収納され、前記各ハーフの内面に、前記ディスク状記録媒体を囲み前記カーリッジケース内に侵入した埃が前記ディスク状記録媒体に付着するのを防止する隔壁を形成する隔壁形成リブが設けられたディスクカートリッジにおいて、前記隔壁形成リブが対向する円弧状部において未融着状態であると共に、少なくとも一方の前記隔壁形成リブの内側の縁にアールが形成されたことを特徴とするディスクカートリッジ。
【請求項２】
前記カートリッジケースの両側面及び後端面に、前記上下のハーフの間の境界線に沿って、超音波溶着によって前記上下のハーフの間から突出するバリを収容する溝が設けられたことを特徴とする請求項１に記載のディスクカートリッジ。
【請求項３】
前記溝が、一方の前記ハーフの両側面及び後端面の内側の縁に沿って設けられた段差部によって形成されたことを特徴とする請求項２に記載のディスクカートリッジ。
【発明の詳細な説明】
【０００１】
【発明の属する技術分野】
本発明は、コンピュータ機器等の情報記録媒体として使用されるディスクカートリッジに関するものである。
【０００２】
【従来の技術】
図８、９はコンピュータ機器等の情報記録媒体として使用されるディスクカートリッジの一例を示す斜視図である。同図に示すように、ディスクカートリッジは、互いに対向する上下一対のハーフ１０２、１０３によって形成されたカートリッジケース１０４内に光ディスクや磁気ディスク等のディスク状記録媒体１０５が回転自在に収納されたもので、各ハーフ１０２、１０３の内面には、ディスク状記録媒体１０５を囲みカートリッジケース１０４内に侵入した埃がディスク状記録媒体１０５に付着するのを防止する隔壁を形成する隔壁形成リブ（不図示）が設けられている。
【０００３】
【発明が解決しようとする課題】
従来、ディスクカートリッジの上下のハーフは、図に示すように、ネジ１０６によって固定されていたが、コストダウンのために上下のハーフ１０２、１０３を超音波溶着によって固定することが検討されている。ところが、従来のディスクカートリッジでは、前記隔壁形成リブの内側の縁が尖っているため、上下のハーフ１０２、１０３を超音波溶着する際に各隔壁形成リブの内側の縁がこすれ合って削りカスやバリが発生し、これがディスク状記録媒体１０５に付着して記録再生時にエラーが発生したり、ディスク状記録媒体１０５に接触してディスク状記録媒体１０５を傷つけたりするという問題があった。
【０００４】
また、従来のディスクカートリッジでは、上下のハーフ１０２、１０３を超音波溶着する際に各ハーフ１０２、１０３の周縁部に振動が伝わり、各ハーフ１０２、１０３の内面の両側縁及び後端縁に沿って設けられたリブがこすれ合って互いに溶着することにより上下のハーフ１０２、１０３の間から突出するバリが発生し、これがディスクカートリッジ１０１をドライブ装置にローディングする際にひっかかったり、外観を損ったりするという問題が生じることもあった。
【０００５】
本発明は、上述した問題点を解決して品質を向上したディスクカートリッジを提供することを目的としてなされたものである。
【０００６】
【課題を解決するための手段】
上述した目的を達成するために、請求項１に記載のディスクカートリッジは、互いに対向する上下一対のハーフを超音波溶着してなるカートリッジケース内にディスク状記録媒体が回転自在に収納され、前記各ハーフの内面に、前記ディスク状記録媒体を囲み前記カートリッジケース内に侵入した埃が前記ディスク状記録媒体に付着するのを防止する隔壁を形成する隔壁形成リブが設けられたディスクカートリッジにおいて、前記隔壁形成リブが対向する円弧状部において未融着状態であると共に、少なくとも一方の前記隔壁形成リブの内側の縁にアールが形成されたことを特徴とするものである。
【０００７】
また、請求項２に記載のディスクカートリッジは、請求項１に記載のディスクカートリッジにおいて、前記カートリッジケースの両側面及び後端面に、前記上下のハーフの間の境界線に沿って、超音波溶着によって前記上下のハーフの間から突出するバリを収容する溝が設けられたことを特徴とするものである。
【０００８】
また、請求項３に記載のディスクカートリッジは、請求項２に記載のディスクカートリッジにおいて、前記溝が、一方の前記ハーフの両側面及び後端縁の内側の縁に沿って設けられた段差部によって形成されたことを特徴とするものである。
【０００９】
【発明の実施の形態】
以下、本発明の具体的な実施形態を図面を参照しながら説明する。図１は本発明の一実施形態であるディスクカートリッジを表側から見た図、図２は図１のディスクカートリッジを裏側から見た図、図３は図１のディスクカートリッジのカートリッジケースを形成する上ハーフを裏側から見た図、図４は下ハーフを裏側から見た図である。
【００１０】
図１、２に示すディスクカートリッジ１は、コンピュータ機器等の情報記録媒体として使用されるもので、互いに対向する上下一対のハーフ２、３によって形成されたカートリッジケース４内にディスク状記録媒体５が回転自在に収納されている。６はドライブ装置の録再ヘッドがディスク状記録媒体５と情報の授受を行うためのヘッドアクセス窓、７はドライブ装置の駆動軸を挿入するためのモーターアクセス窓、８はカートリッジケース４の前端縁に沿って摺動自在に取り付けられヘッドアクセス窓６及びモーターアクセス窓７を開閉するシャッタ、９はシャッタ８を閉位置に維持するスプリングである。
【００１１】
図３、４に示すように、ハーフ２、３の内面には、ディスク状記録媒体５を囲みカートリッジケース４内に侵入した埃がディスク状記録媒体５に付着するのを防止する隔壁を形成する略円形の隔壁形成リブ１０、１１が設けられている。上ハーフ２に設けられた隔壁形成リブ１０は、上ハーフ２の内面の両側縁及び後端縁に沿って設けられたリブ１２の一部を兼ねており、下ハーフ３に設けられた隔壁形成リブ１１は、下ハーフ３の内面の両側縁及び後端縁に沿って設けられたリブ１３の一部を兼ねている。
【００１２】
上ハーフ２の内面の四隅には内面側に向けて突出した円筒状の溶着ボス１４が設けられており、下ハーフ３の内面にはこれらの溶着ボス１４に嵌合する四個の嵌合部１５が設けられている。嵌合部１５は、図５に示すように、円筒状の周壁１６と、周壁１６内の底部に設けられ、先端部が尖った環状の溶着リブ１７とを有している。周壁１６の内径Ｄは溶着ボス１４の外径よりわずかに小さく、溶着ボス１４に嵌合するようになっている。また、溶着リブ１７の先端部の直径ｄは溶着ボス１４の内径より大きくなっている。ハーフ２、３を重ね合わせると、溶着ボス１４の先端面が溶着リブ１７の先端部に当接し、超音波溶着機で溶着ボス１４に振動を与えると、これらがこすれ合って互いに溶着されるようになっている。なお、本実施形態のディスクカートリッジでは、上記の四箇所の他に、ハーフ２における隔壁形成リブ１０がリブ１２と交差する部分Ｄ、Ｅ（図３参照）がハーフ３における上記Ｄ、Ｅと対向する部分と超音波溶着されており、合計六箇所で超音波溶着されている。
【００１３】
図６に示すように、隔壁形成リブ１０、１１の内側の縁には、全周にわたって０．２ｍｍのアール１８が形成されている。これによって、ハーフ２、３を超音波溶着する際に隔壁形成リブ１０、１１の内側の縁がこすれ合って削りカスやバリが発生するのを防止することができる。なお、隔壁形成リブ１０、１１のいずれか一方の内側の縁のみにアールを形成するようにしてもよい。また、アールは、必ずしも隔壁形成リブの最も内側の縁に形成される必要はなく、隔壁形成リブ１０、１１が接する部分における内側の縁に形成されれば良い。
【００１４】
隔壁リブ１０、１１は幅が狭く、金型に隔壁形成リブ１０、１１を形成する溝を彫り込むことが困難であるため、金型は隔壁形成リブ１０、１１の外側の縁の位置で内側のブロックと外側のブロックに分割されている。従来のディスクカートリッジでは、金型を隔壁形成リブの内側の縁の位置でも分割可能であっったので、この場合、二つのブロック間の間隙によって形成されるバリが超音波溶着の際に隔壁形成リブの内側に落ちてディスク状記録媒体に付着し、記録再生時にエラーが発生するという問題があった。
【００１５】
このディスクカートリッジ１では、隔壁形成リブ１０、１１の内側の縁にアール１８が形成されているため、金型を隔壁形成リブ１０、１１の内側の縁の位置で分割すると、外側のブロックがアール１８の部分で刃物状になってしまい、成形が困難となるため、金型は隔壁形成リブ１０、１１の外側の縁の位置で分割される必要が有り、その結果、二つのブロックの間に発生するバリは隔壁形成リブ１０、１１の内側に落ちることがないものである。よって、上述した問題が発生するのを確実に防止することができる。
【００１６】
また、本実施形態では、図７に示すように、カートリッジケース４の両側面及び後端面に、上下のハーフ２、３の間の境界線に沿って、幅０．５ｍｍ、深さ０．３ｍｍの溝２０が設けられており、この溝２０は、ハーフ３の内面の両側面及び後端面の内側の縁に沿って設けられた段差部１９によって形成されている。上述したように、ハーフ２、３を超音波溶着する際に振動がハーフ２、３の周縁部に伝わり、リブ１２、１３がこすれ合って溶着することによりハーフ２、３の間から突出するバリが発生することがあるが、このディスクカートリッジ１では、発生したバリは溝２０に収容され、カートリッジケース４から突出しない。したがって、ディスクカートリッジ１をドライブ装置にローディングする際にこのバリが引っかかることがない。また、バリが目だたないため、外観も良い。なお、この溝２０は、上ハーフ２側に段差部を設けることによって形成するようにしても良いし、両ハーフ２、３に段差部を設けることによって形成するようにしても良い。
【００１７】
【発明の効果】
以上説明したように、本発明のディスクカートリッジは、上下のハーフの内面に設けられた隔壁形成リブの少なくとも一方の内側の縁にアールを形成したことにより、上下のハーフを超音波溶着する際に隔壁形成リブの内側の縁がこすれ合って削りカスやバリが発生することがないので、記録再生時にエラーが発生するのを防止することができる。
【００１８】
請求項２、３に記載のディスクカートリッジは、カートリッジケースの両側面及び後端面に、上下のハーフの間の境界線に沿って、超音波溶着によって上下のハーフの間から突出するバリを収容する溝が設けられたことにより、ディスクカートリッジをドライブ装置にローディングする際にバリが引っかかることがない。また、バリが目だたないため、外観が良い。
【図面の簡単な説明】
【図１】  本発明の一実施形態であるディスクカートリッジを表側から見た図。
【図２】  図１のディスクカートリッジを裏側から見た図。
【図３】  上ハーフを裏側から見た図。
【図４】  下ハーフを裏側から見た図。
【図５】  図４のＡ−Ａ線断面図。
【図６】  図３、４のＢ−Ｂ線断面図。
【図７】  図１のＣ−Ｃ線断面図。
【図８】  従来のディスクカートリッジを表側から見た斜視図。
【図９】  図８のディスクカートリッジを裏側から見た斜視図。
【符号の説明】
１  ディスクカートリッジ
２  上ハーフ
３  下ハーフ
４  カートリッジケース
５  ディスク状記録媒体
１０、１１  隔壁形成リブ
１８  アール
【図１】
0003701397.tif 000002
【図２】
0003701397.tif 000003
【図３】
0003701397.tif 000004
【図４】
0003701397.tif 000005
【図５】
0003701397.tif 000006
【図６】
0003701397.tif 000007
【図７】
0003701397.tif 000008
【図８】
0003701397.tif 000009
【図９】
0003701397.tif 000010